(57)【特許請求の範囲】
【請求項１】
口腔内で上顎側の印象を採得する印象材が盛られる上顎印象トレーと、
前記口腔内で下顎側の印象を採得する印象材が盛られる下顎印象トレーと、
前記上顎印象トレーと前記下顎印象トレーとの間に設けられる支持プレート本体を備える支持プレートと、
を有し、
前記支持プレート本体は、左右に枝分かれして後方に伸びる一対の支持部を備え、
前記一対の支持部が、前記上顎印象トレー及び前記下顎印象トレーを、それぞれ前後方向に移動可能に支持する
ことを特徴とする歯科用トレーシステム。
【請求項２】
前記支持プレート本体は、前記上顎印象トレーを支持する上面に前記前後方向に沿って形成されている一対の上係合溝と、前記下顎印象トレーを支持する下面に前記前後方向に沿って形成されている一対の下係合溝と、を有し、
前記上顎印象トレーは、前記支持プレート本体に向かって突出して前記一対の上係合溝に係合し、前記一対の上係合溝に沿ってスライド可能な一対の上係合ピンを有し、
前記下顎印象トレーは、前記支持プレート本体に向かって突出して前記一対の下係合溝に係合し、前記一対の下係合溝に沿ってスライド可能な一対の下係合ピンを有する
ことを特徴とする請求項１に記載の歯科用トレーシステム。
【請求項３】
前記一対の上係合溝は、溝部と、前記溝部の左右の一方を抉るように形成された係合溝部を有し、
一対の上係合ピンは、ピン本体と、前記ピン本体の下端から左右の一方に突出し、前記係合溝部に嵌って係合するように、前記一対の上係合溝に挿入される係合部を有する請求項２に記載の歯科用トレーシステム。
【請求項４】
前記一対の下係合溝は、溝部と、前記溝部の左右の一方を抉るように形成された係合溝部を有し、
一対の下係合ピンは、ピン本体と、前記ピン本体の下端から左右の一方に突出し、前記係合溝部に嵌って係合するように、前記一対の下係合溝に挿入される係合部を有する請求項２又は３に記載の歯科用トレーシステム。
【発明の詳細な説明】
【技術分野】
【０００１】
本発明は、歯科用トレーシステムに関する。
【背景技術】
【０００２】
義歯等を作製する場合において噛み合わせを良好にするためには、患者の咬合採得を正確に行う必要がある。そこで、それぞれ印象材が盛られる上顎用トレーと下顎用トレーとが口腔内で一体に配設可能となっており、上顎及び下顎の印象を同時に採得する歯科印象用トレーが知られている（例えば、特許文献１参照）。
【先行技術文献】
【特許文献】
【０００３】
【特許文献１】特開２００１−３３３９１７号公報
【発明の概要】
【発明が解決しようとする課題】
【０００４】
上顎と下顎との咬合状態は、前後方向にずれがない正常な場合もあれば、上顎及び下顎の一方が他方よりも前方に突出している場合等もあり、患者によって異なる。上記した特許文献１に係る歯科印象用トレーは、上顎用トレーと下顎用トレーとが互いに固定されるため、患者ごとに異なる咬合状態に対応できず、正確に採得できない可能性がある。【０００５】
本発明は上記に鑑みてなされたものであって、咬合状態に応じて咬合採得を正確に行うことが可能な歯科用トレーシステムを提供することを目的とする。
【課題を解決するための手段】
【０００６】
本発明の一態様における歯科用トレーシステムによれば、口腔内で上顎側の印象を採得する印象材が盛られる上顎印象トレーと、前記口腔内で下顎側の印象を採得する印象材が盛られる下顎印象トレーと、前記上顎印象トレーと前記下顎印象トレーとの間に設けられる支持プレート本体を備える支持プレートと、を有し、前記支持プレート本体は、左右に枝分かれして後方に伸びる一対の支持部を備え、前記一対の支持部が、前記上顎印象トレー及び前記下顎印象トレーを、それぞれ前後方向に移動可能に支持する。
【発明の効果】
【０００７】
本発明の実施形態によれば、咬合状態に応じて咬合採得を正確に行うことが可能な歯科用トレーシステムが提供される。
【図面の簡単な説明】
【０００８】
【図１】実施形態における歯科用トレーシステムの斜視図である。
【図２】実施形態における支持プレートの斜視図である。
【図３】実施形態における支持プレートを示す図である。
【図４】実施形態における上顎印象トレーを示す図である。
【図５】実施形態における下顎印象トレーを示す図である。
【図６】実施形態における歯科用トレーシステムの背面図である。
【図７】実施形態における上顎印象トレー及び下顎印象トレーが動く様子を示す図である。
【発明を実施するための形態】
【０００９】
以下、本発明の実施形態について、図面に基づいて説明する。各図面において、同一構成部分には同一符号を付し、重複した説明を省略する場合がある。
【００１０】
図１は、実施形態における歯科用トレーシステム１０の斜視図である。歯科用トレーシステム１０は、無歯顎の咬合採得に用いられる。なお、以下に示す図面において、Ｘ１Ｘ２方向は歯科用トレーシステム１０の左右方向である。また、Ｙ１Ｙ２方向は歯科用トレーシステム１０の前後方向であり、Ｚ１Ｚ２方向は歯科用トレーシステム１０の上下方向である。以下の説明では、Ｘ１方向を右、Ｘ２方向を左、Ｙ１方向を前、Ｙ２方向を後ろ、Ｚ１方向を上、Ｚ２方向を下という場合がある。
【００１１】
図１に示されるように、歯科用トレーシステム１０は、支持プレート１００、上顎印象トレー２００、下顎印象トレー３００を有する。
【００１２】
支持プレート１００は、上顎印象トレー２００及び下顎印象トレー３００を、それぞれ前後方向に移動可能に支持する。上顎印象トレー２００は、口腔内で上顎側の印象を採得する印象材が盛られる。下顎印象トレー３００は、口腔内で下顎側の印象を採得する印象材が盛られる。
【００１３】
支持プレート１００、上顎印象トレー２００、及び下顎印象トレー３００は、例えば樹脂材料により形成される。なお、支持プレート１００、上顎印象トレー２００、及び下顎印象トレー３００は、金属材料等により形成されてもよく、それぞれ異なる材料により形成されてもよい。
【００１４】
図２は、実施形態における支持プレート１００の斜視図である。図３は、実施形態における支持プレート１００を示す図である。図３（Ａ）は、支持プレート１００の上面図である。また、図３（Ｂ）は支持プレート１００の底面図であり、図３（Ｃ）は支持プレート１００の背面図である。
【００１５】
図２及び図３に示されるように、支持プレート１００は、支持プレート本体１０１、ハンドル１０２を有する。
【００１６】
支持プレート本体１０１は、板状の部材であり、ハンドル１０２に連結されている。支持プレート本体１０１は、ハンドル１０２から突出して右側に枝分かれして後方に延びる右側支持部１１０、左側に枝分かれして後方に延びる左側支持部１２０を有する。また、支持プレート本体１０１は、右側支持部１１０と左側支持部１２０とが連結する中央部分から後方に突出する支持台部１３０を有する。
【００１７】
右側支持部１１０は、上面側に右上係合溝１１１が形成され、下面側に右下係合溝１１２が形成されている。右上係合溝１１１及び右下係合溝１１２は、それぞれ前後方向（Ｙ１Ｙ２方向）に平行に形成されている。
【００１８】
右上係合溝１１１は、図３（Ｃ）に示されるように、溝部１１１ａ、溝部１１１ａの右側を抉るように形成されている係合溝部１１１ｂを有する。右下係合溝１１２は、溝部１１２ａ、溝部１１２ａの左側を抉るように形成されている係合溝部１１２ｂを有する。
【００１９】
左側支持部１２０は、上面側に左上係合溝１２１が形成され、下面側に左下係合溝１２２が形成されている。左上係合溝１２１及び左下係合溝１２２は、それぞれ前後方向（Ｙ１Ｙ２方向）に平行に形成されている。
【００２０】
左上係合溝１２１は、図３（Ｃ）に示されるように、溝部１２１ａ、溝部１１１ａの左側を抉るように形成されている係合溝部１２１ｂを有する。左下係合溝１２２は、溝部１２２ａ、溝部１２２ａの右側を抉るように形成されている係合溝部１２２ｂを有する。
【００２１】
また、支持プレート本体１０１は、右側支持部１１０と左側支持部１２０とが連結する中央部分の上面側に上中央溝１３１、下面側に下中央溝１３２が形成されている。上中央溝１３１及び下中央溝１３２は、前後方向（Ｙ１Ｙ２方向）に平行に形成され、それぞれ後方側端部が開放されている。
【００２２】
ハンドル１０２は、矩形板状に形成されており、背面側に支持プレート本体１０１が連結されている。使用者は、ハンドル１０２を把持して、歯科用トレーシステム１０を口腔内に挿入したり、口腔内から取り出したりする。また、ハンドル１０２に凹凸を付与し、印象材を押し当てて正中や瞳孔線、口唇の傾き等を印記することが可能である。
【００２３】
図４は、実施形態における上顎印象トレー２００を示す図である。図４（Ａ）は、上顎印象トレー２００の上面側からの斜視図である。図４（Ｂ）は、上顎印象トレー２００の下面側からの斜視図である。また、図４（Ｃ）は、上顎印象トレー２００の背面図である。
【００２４】
上顎印象トレー２００は、外縁２０１と内縁２０２との間の印象材面２０３に、上顎側の印象を採得する印象材が盛られる。外縁２０１及び内縁２０２は、図４に示されるように、それぞれ印象材面２０３の外側端部及び内側端部から上方に盛り上がるように形成されている。
【００２５】
印象材面２０３には、上下方向に貫通する複数の貫通孔２０５が形成されている。印象材面２０３に盛られた印象材は、印象採得時に一部が貫通孔２０５から下面側に押し出される。貫通孔２０５から下面側に押し出された印象材は、膨張して印象材面２０３側の印象材とともに上顎印象トレー２００と一体となる。
【００２６】
上顎印象トレー２００の下面には、右上係合ピン２１１、左上係合ピン２１２、上中央ピン２１３が形成されている。右上係合ピン２１１、左上係合ピン２１２、及び上中央ピン２１３は、それぞれ上顎印象トレー２００の下面からＺ２方向に突出するように形成されている。
【００２７】
右上係合ピン２１１は、図４（Ｃ）に示されるように、円柱状のピン本体２１１ａ、ピン本体２１１ａの下端から右側に突出する係合部２１１ｂを有する。右上係合ピン２１１は、係合部２１１ｂが係合溝部１１１ｂに嵌って係合するように、支持プレート１００の右上係合溝１１１に挿入される。
【００２８】
左上係合ピン２１２は、図４（Ｃ）に示されるように、円柱状のピン本体２１２ａ、ピン本体２１２ａの下端から左側に突出する係合部２１２ｂを有する。左上係合ピン２１２は、係合部２１２ｂが係合溝部１２１ｂに嵌って係合するように、支持プレート１００の左上係合溝１２１に挿入される。
【００２９】
上中央ピン２１３は、左右方向（Ｘ１Ｘ２方向）において上顎印象トレー２００の中央部分に形成されている。上中央ピン２１３は、円柱状に形成されており、支持プレート１００の上中央溝１３１に挿入される。
【００３０】
図５は、実施形態における下顎印象トレー３００を示す図である。図５（Ａ）は、下顎印象トレー３００の上面側からの斜視図である。図５（Ｂ）は、下顎印象トレー３００の下面側からの斜視図である。また、図５（Ｃ）は、下顎印象トレー３００の背面図である。
【００３１】
下顎印象トレー３００は、外縁３０１と内縁３０２との間の印象材面３０３に、口腔内で下顎側の印象を採得する印象材が盛られる。外縁３０１及び内縁３０２は、図５に示されるように、それぞれ印象材面３０３の外側端部及び内側端部から下方に盛り上がるように形成されている。
【００３２】
印象材面３０３には、上下方向に貫通する複数の貫通孔３０５が形成されている。印象材面３０３に盛られた印象材は、印象採得時に一部が貫通孔３０５から上面側に押し出される。貫通孔３０５から上面側に押し出された印象材は、膨張して印象材面３０３側の印象材とともに下顎印象トレー３００と一体となる。
【００３３】
下顎印象トレー３００の上面には、右下係合ピン３１１、左下係合ピン３１２、下中央ピン３１３が形成されている。右下係合ピン３１１、左下係合ピン３１２、及び下中央ピン３１３は、それぞれ下顎印象トレー３００の上面からＺ１方向に突出するように形成されている。
【００３４】
右下係合ピン３１１は、図５（Ｃ）に示されるように、円柱状のピン本体３１１ａ、ピン本体３１１ａの上端から左側に突出する係合部３１１ｂを有する。右下係合ピン３１１は、係合部３１１ｂが係合溝部１１２ｂに嵌って係合するように、支持プレート１００の右下係合溝１１２に挿入される。
【００３５】
左下係合ピン３１２は、図５（Ｃ）に示されるように、円柱状のピン本体３１２ａ、ピン本体３１２ａの上端から右側に突出する係合部３１２ｂを有する。左下係合ピン３１２は、係合部３１２ｂが係合溝部１２２ｂに嵌って係合するように、支持プレート１００の左下係合溝１２２に挿入される。
【００３６】
下中央ピン３１３は、左右方向（Ｘ１Ｘ２方向）において下顎印象トレー３００の中央部分に形成されている。下中央ピン３１３は、円柱状に形成されており、支持プレート１００の下中央溝１３２に挿入される。
【００３７】
図６は、実施形態における歯科用トレーシステム１０の背面図である。
【００３８】
図６に示されるように、上顎印象トレー２００は、右上係合ピン２１１、左上係合ピン２１２、及び上中央ピン２１３が、それぞれ右上係合溝１１１、左上係合溝１２１、及び上中央溝１３１に挿入され、支持プレート１００に前後方向に移動可能に支持される。また、上顎印象トレー２００は、右上係合ピン２１１及び左上係合ピン２１２が、それぞれ支持プレート１００の右上係合溝１１１及び左上係合溝１２１に係合することで、支持プレート１００から外れることなく前後方向に移動可能に支持される。
【００３９】
下顎印象トレー３００は、右下係合ピン３１１、左下係合ピン３１２、及び下中央ピン３１３が、それぞれ右下係合溝１１２、左下係合溝１２２、及び下中央溝１３２に挿入され、支持プレート１００に前後方向に移動可能に支持される。また、下顎印象トレー３００は、右下係合ピン３１１及び左下係合ピン３１２が、それぞれ支持プレート１００の右下係合溝１１２及び左下係合溝１２２に係合することで、支持プレート１００から外れることなく前後方向に移動可能に支持される。
【００４０】
歯科用トレーシステム１０は、図６に示されるように上顎印象トレー２００及び下顎印象トレー３００が支持プレート１００に支持されている状態で、上顎印象トレー２００及び下顎印象トレー３００に印象材が盛られて咬合採得に用いられる。
【００４１】
図７は、実施形態における上顎印象トレー２００及び下顎印象トレー３００が支持プレート１００に対して動く様子を示す図である。
【００４２】
例えば患者の上顎の位置と下顎の位置との間に大きなずれが無く、咬合関係が正常な場合には、図７（Ａ）に示されるように、前後方向（Ｙ１Ｙ２方向）において上顎印象トレー２００と下顎印象トレー３００とをほぼ同じ位置にした状態で、患者の咬合採得を行うことができる。
【００４３】
例えば上顎が下顎よりも口唇側に突出するような咬合関係の場合には、図７（Ｂ）に示されるように、患者の口腔内で下顎印象トレー３００を後方に移動させる。このように、下顎印象トレー３００を上顎印象トレー２００よりも後方に移動させることで、上顎が下顎よりも口唇側に突出するような咬合関係であっても、咬合採得を正確に行うことが可能になる。
【００４４】
また、例えば下顎が上顎よりも口唇側に突出するような咬合関係の場合には、図７（Ｃ）に示されるように、患者の口腔内で上顎印象トレー２００を後方に移動させる。このように、上顎印象トレー２００を下顎印象トレー３００よりも後方に移動させることで、下顎が上顎よりも口唇側に突出するような咬合関係であっても、咬合採得を正確に行うことが可能になる。
【００４５】
このように、本実施形態における歯科用トレーシステム１０では、支持プレート１００が、上顎印象トレー２００及び下顎印象トレー３００を、それぞれ前後方向に移動可能に支持する。したがって、本実施形態における歯科用トレーシステム１０によれば、上顎と下顎との前後方向におけるずれに対応して、咬合採得を正確に行うことが可能になる。
【００４６】
以上、実施形態に係る歯科用トレーシステムについて説明したが、本発明は上記実施形態に限定されるものではなく、本発明の範囲内で種々の変形及び改良が可能である。
【００４７】
例えば、支持プレート１００、上顎印象トレー２００、及び下顎印象トレー３００の形状は、上記した実施形態において例示した形状に限られない。支持プレート１００に形成される係合溝の数や、上顎印象トレー２００及び下顎印象トレー３００に形成される係合ピンの数は、上記した実施形態において例示した数に限られない。また、支持プレート１００に形成される係合溝や、上顎印象トレー２００及び下顎印象トレー３００に形成される係合ピンの形状は、上記した実施形態において例示した形状に限られない。上顎印象トレー２００及び下顎印象トレー３００が支持プレート１００から外れることなく前後方向に移動可能であれば、係合溝や係合ピンは本実施形態とは異なる形状であってもよい。
【００４８】
本特許出願は２０１６年１１月２９日に出願した日本国特許出願第２０１６−２３１３２７号に基づきその優先権を主張するものであり、日本国特許出願第２０１６−２３１３２７号の全内容を本願に援用する。
【符号の説明】
【００４９】
１０、２０、３０  歯科用トレーシステム
１００  支持プレート
２００  上顎印象トレー
３００  下顎印象トレー
１１１  右上係合溝（上係合溝）
１１２  右下係合溝（下係合溝）
１２１  左上係合溝（上係合溝）
１２２  左下係合溝（下係合溝）
１３１  上中央溝
１３２  下中央溝
２１１  右上係合ピン（上係合ピン）
２１２  左上係合ピン（上係合ピン）
２１３  上中央ピン
３１１  右下係合ピン（下係合ピン）
３１２  左下係合ピン（下係合ピン）
３１３  下中央ピン
【図１】
0006749413.tif 000002
【図２】
0006749413.tif 000003
【図３】
0006749413.tif 000004
【図４】
0006749413.tif 000005
【図５】
0006749413.tif 000006
【図６】
0006749413.tif 000007
【図７】
0006749413.tif 000008